(57)【要約】【課題】可変速フレームレート撮像画像に対して正しくタイムコードを設定する。【解決手段】信号ＣＭＳから記録フレームレート中に撮像画像が設定された可変フレームレートで含まれている画像信号ＤＶbを分離して記録処理部３３に供給する。可変速フレームレートの撮像画像の有効なフレームを示す識別信号ＤＪを分離して制御部４０に供給する。記録処理部３２は、制御部４０からの信号ＣＵに基づき、識別信号ＤＪで有効なフレームとされた撮像画像の画像信号を記憶処理部３２２に記憶させる。記憶処理部３２２の信号量に応じて、記憶されている画像信号の読み出し動作を行う。タイムコード処理部３３は、制御部４０からの信号ＴＣＴに基づき、識別信号ＤＪで有効なフレームとされた撮像画像にタイムコードＴＣwを設定する。このように、タイムコードＴＣwを関連付けして撮像画像を記録媒体４５に記録する。【選択図】        図５
2005039713.tif 000002
【特許請求の範囲】
【請求項１】
設定された可変速フレームレートで撮像画像のフレームが含まれている記録フレームレートの画像信号と、該可変速フレームレートの撮像画像のフレームを示す識別信号が供給される信号記録装置において、
タイムコードを設定するタイムコード処理手段と、
前記画像信号に前記タイムコード処理手段で設定されたタイムコードを関連付けさせて記録媒体に記録する記録処理手段と、
前記タイムコード処理手段と前記記録処理手段の動作を制御する制御手段を有し、
前記制御手段は、前記識別信号に基づき、前記タイムコード処理手段によって前記可変速フレームレートの撮像画像のフレームに対してタイムコードを設定させるとともに、前記識別信号に基づき、前記記録処理手段によって前記画像信号から前記可変速フレームレートの撮像画像の画像信号を選択させて、該選択された画像信号に前記設定されたタイムコードを関連付けさせる
ことを特徴とする信号記録装置。
【請求項２】
前記記録処理手段は、
記憶処理手段と、
前記可変速フレームレートの撮像画像の画像信号を選択して前記記憶処理手段に記憶させるとともに、前記記憶処理手段に記憶されている信号量に応じて、前記記憶処理手段に記憶されている画像信号の読み出しを行う書込読出手段と、
前記書込読出手段によって前記記憶処理手段から読み出された画像信号に前記タイムコードを関連付けさせて前記記録媒体に記録する記録手段を備える
ことを特徴とする請求項１記載の信号記録装置。
【請求項３】
前記タイムコード処理手段は、前記可変速フレームレートの撮像画像の画像信号に対して複数フレームシステムのタイムコードを設定し、
前記記録処理手段は、前記選択した画像信号に前記複数フレームシステムのタイムコードを関連付けさせる
ことを特徴とする請求項１記載の信号記録装置。
【請求項４】
前記タイムコード処理手段は、タイムコード初期値が供給されたとき、前記可変速フレームレートの撮像画像の画像信号に対して、前記タイムコード初期値から歩進したタイムコードを設定する
ことを特徴とする請求項１記載の信号記録装置。
【請求項５】
設定された可変速フレームレートで撮像画像のフレームが含まれている記録フレームレートの画像信号と、該可変速フレームレートの撮像画像のフレームを示す識別信号を用いて、前記画像信号の記録を行う信号記録方法において、
前記識別信号に基づき、前記可変速フレームレートの撮像画像のフレームに対してタイムコードを設定するタイムコード処理手順と、
前記識別信号に基づき、前記画像信号から前記可変速フレームレートの撮像画像の画像信号を選択して、該選択した画像信号に前記タイムコード処理手順で設定されたタイムコードを関連付けさせて記録媒体に記録する記録処理手順を有する
ことを特徴とする信号記録方法。
【請求項６】
前記記録処理手順は、
前記可変速フレームレートの撮像画像の画像信号を選択して記憶処理手段に記憶させるとともに、該記憶処理手段に記憶されている信号量に応じて、該記憶処理手段に記憶されている画像信号の読み出しを行う書込読出手順と、
前記記憶処理手段から読み出された画像信号に前記タイムコードを関連付けさせて前記記録媒体に記録する記録手順を備える
ことを特徴とする請求項５記載の信号記録方法。
【請求項７】
前記タイムコード処理手順は、前記可変速フレームレートの撮像画像の画像信号に対して複数フレームシステムのタイムコードを設定し、
前記記録処理手順は、前記選択した画像信号に前記複数フレームシステムのタイムコードを関連付けさせる
ことを特徴とする請求項５記載の信号記録方法。
【請求項８】
前記タイムコード処理手順は、タイムコード初期値が供給されたとき、前記可変速フレームレートの撮像画像の画像信号に対して、前記タイムコード初期値から歩進したタイムコードを設定する
ことを特徴とする請求項５記載の信号記録方法。
【発明の詳細な説明】
【技術分野】
【０００１】
この発明は、信号記録装置と信号記録方法に関する。詳しくは、設定された可変速フレームレートで撮像画像のフレームが含まれている記録フレームレートの画像信号と、この可変速フレームレートの撮像画像のフレームを示す識別信号を用いて、識別信号に基づき可変速フレームレートの撮像画像のフレームに対してタイムコードを設定するとともに、識別信号に基づき可変速フレームレートの撮像画像の画像信号を選択して、設定されたタイムコードを選択した画像信号に対して関連付けさせて記録媒体に記録するものである。
【背景技術】
【０００２】
従来の映画製作等では、特殊な映像効果を得ることができるように、フィルムカメラの撮影速度、すなわち１秒間のコマ数を可変させた撮影が行われている。例えば、撮影は通常の速度よりも高速で行い、再生は通常速度で行うものとすると、再生画像はスロー再生画像となる。このため、水面に水滴が落下したときのような高速度動作を容易かつ詳細に観察できる。また、撮影は通常の速度よりも低速で行い、再生は通常速度で行うものとすると、高速再生画像となる。このため、格闘シーンやカーチェイスシーン等でのスピード感を高めて臨場感の高い画像提示を行うことができる。
【０００３】
また、テレビジョン番組制作等では、番組の撮像や編集および送出等のディジタル化が図られていたが、ディジタル技術の進展に伴う高画質化や機器の低価格化によって、映画製作等においてもディジタル化が図られてきている。
【０００４】
ここで、テレビジョン番組制作や映画製作等のディジタル化により撮像装置（ビデオカメラ）を用いて撮像を行うものとした場合、高速再生やスロー再生等の特殊な映像効果を容易に得ることができるように、フレームレートを変更できる特許文献１の撮像装置が用いられている。この撮像装置を用いて、所定フレームレートよりもフレームレートを低下させて撮像を行い、この撮像画像を所定フレームレートで再生すれば、簡単に高速再生画像を得ることができる。また、フレームレートを高くして撮像を行い、この撮像画像を所定フレームレートで再生すれば、簡単にスロー再生画像を得ることができる。例えば、画像信号を記録するときのフレームレート（以下「記録フレームレート」という）が一定である例えばビデオテープレコーダ等の信号記録装置を用い、撮像装置では記録フレームレートの信号中に撮像画像のフレームが可変フレームレート分含まれた信号を生成して信号記録装置に供給する。信号記録装置では、撮像装置から供給された画像信号を用いて可変速フレームレート撮像画像を記録媒体に記録する。この記録媒体に記録された可変速フレームレート撮像画像を再生すると、可変速フレームレート撮像画像のフレームレートが再生時のフレームレート（以下「再生フレームレート」という）よりも低いときは被写体の動きが実際の動きより早くなり、可変速フレームレート撮像画像のフレームレートが再生フレームレートよりも高いときは被写体の動きが実際の動きより遅くなる。このため、特殊な映像効果を容易に得ることができる。
【０００５】
【特許文献１】特開２０００−１２５２１０号公報
【発明の開示】
【発明が解決しようとする課題】
【０００６】
ところで、ビデオテープレコーダ等の信号記録装置では、入力される信号に対してフレーム毎にタイムコードを付加することが行われている。ここで、上述したように、記録フレームレートの信号中に撮像画像のフレームが可変フレームレート分含まれた信号が信号記録装置に供給されると、この可変速フレームレート撮像画像のフレームに対してタイムコードが非連続に付加されることとなる。このため、可変速フレームレート撮像画像のフレームを連続させて再生したときは、タイムコードが連続しなくなってしまう。
【０００７】
また、記録フレームレート中に撮像画像が可変フレームレート分含まれた画像信号を生成すると、撮像画像の無いフレームが生じてしまう。このため、可変速フレームレート撮像画像のフレームを繰り返すことで、撮像画像の無いフレームが生じてしまうことを防止することも行われる。このような場合には、同じ撮像画像に対してタイムコードを歩進して設定してしまうこととなり、可変速フレームレートの撮像画像のフレームに対して付加されたタイムコードが連続しなくなってしまう。
【０００８】
そこで、この発明では、可変速フレームレートの撮像画像に対して正しくタイムコードを設定できる信号記録装置と信号記録方法を提供するものである。
【課題を解決するための手段】
【０００９】
この発明に係る信号記録装置は、設定された可変速フレームレートで撮像画像のフレームが含まれている記録フレームレートの画像信号と、該可変速フレームレートの撮像画像のフレームを示す識別信号が供給される信号記録装置において、タイムコードを設定するタイムコード処理手段と、画像信号にタイムコード処理手段で設定されたタイムコードを関連付けさせて記録媒体に記録する記録処理手段と、タイムコード処理手段と記録処理手段の動作を制御する制御手段を有し、制御手段は、識別信号に基づき、タイムコード処理手段によって可変速フレームレートの撮像画像のフレームに対してタイムコードを設定させるとともに、識別信号に基づき、記録処理手段によって画像信号から可変速フレームレートの撮像画像の画像信号を選択させて、該選択された画像信号に設定されたタイムコードを関連付けさせるものである。
【００１０】
また、この発明に係る信号記録方法は、設定された可変速フレームレートで撮像画像のフレームが含まれている記録フレームレートの画像信号と、該可変速フレームレートの撮像画像のフレームを示す識別信号を用いて、画像信号の記録を行う信号記録方法において、識別信号に基づき、可変速フレームレートの撮像画像のフレームに対してタイムコードを設定するタイムコード処理手順と、識別信号に基づき、画像信号から可変速フレームレートの撮像画像の画像信号を選択して、該選択した画像信号にタイムコード処理手順で設定されたタイムコードを関連付けさせて記録媒体に記録する記録処理手順を有するものである。
【００１１】
この発明においては、撮像画像が設定された可変フレームレートで含まれている記録フレームレートの画像信号と、可変速フレームレートの撮像画像のフレームを示す識別信号が供給されて、この画像信号を記録するときは、識別信号によって示された可変速フレームレートの撮像画像のフレームに対して、１つのフレームシステムあるいは複数フレームシステムのタイムコードが関連付けられる。また、可変速フレームレートの撮像画像の画像信号を選択して記憶処理手段に記憶させるとともに、この記憶処理手段に記憶されている信号量に応じて、記憶処理手段に記憶されている画像信号の読み出しを行い、この読み出された画像信号に対してタイムコードが関連付けられて記録媒体に記録される。
【発明の効果】
【００１２】
この発明によれば、識別信号に基づき、可変速フレームレートの撮像画像のフレームに対してタイムコードが設定されるとともに、可変速フレームレートの撮像画像の画像信号が選択されて、この選択された画像信号にタイムコードが関連付けされて記録媒体に記録される。このため、可変速フレームレートの撮像画像のフレームに対して正しくタイムコードを設定できる。
【００１３】
また、可変速フレームレートの画像信号が選択されて記憶処理手段に記憶されるとともに、この記憶処理手段に記憶されている信号量に応じて、記憶処理手段に記憶されている画像信号の読み出し動作が行われて、この読み出された画像信号にタイムコードが関連付けられて、画像信号とタイムコードが記録媒体に記録される。このため、信号量が第１の所定量に達したとき、記憶処理手段に記憶されている画像信号の読み出しを開始して、信号量が第２の所定量に低下するまで画像信号の読み出しを行うものとすれば、選択された画像信号をその都度記録媒体に記録しなくとも、まとめて記録媒体に記録することができるので、可変速フレームレートの撮像画像の記録を容易に行うことができる。
【００１４】
さらに、可変速フレームレートの撮像画像に対して複数フレームシステムのタイムコードが関連付けられて記録されるので、記録された可変速フレームレート撮像画像をフレームシステムが異なる信号再生装置で再生しても、正しいタイムコードを得ることが可能となる。
【発明を実施するための最良の形態】
【００１５】
以下、図を参照しながら、この発明の実施の一形態について説明する。図１は撮像画像記録システムの構成を示している。撮像装置１０は、例えばＣＣＤ(Charge Coupled Device)等の撮像素子を用いて構成されており、この撮像素子のフレームレート（以下「撮像フレームレート」という）ＦＲpを可変させて、あるいは撮像素子から出力された撮像フレームレートＦＲpの信号に基づく画像信号をフレーム加算するとともに加算フレーム数を制御して、１秒間のコマ数を可変させた撮影画像に相当する可変速フレームレートＦＲcの画像信号を生成する。さらに、可変速フレームレートＦＲcの画像信号から、信号記録装置３０の記録フレームレートＦＲwの画像信号ＤＶbと、この記録フレームレートＦＲwの画像信号ＤＶbに含まれる可変速フレームレートＦＲcの画像のフレームを示す識別信号ＤＪを生成して、本線画信号ＣＭＳとして信号記録装置３０に供給する。また、電子ビューファインダー（ＥＶＦ）５０が撮像装置１０に接続されており、ビューファインダー信号ＶＦoutを電子ビューファインダー５０に供給して撮像画像等を表示させることで、撮像状態例えば被写体の位置や画角および明るさ等の確認が行われる。
【００１６】
信号記録装置３０は、記録フレームレートＦＲwの画像信号ＤＶbから、可変速フレームレートＦＲcの撮像画像のフレームを識別信号ＤＪに基づいて選択するとともに、この選択したフレームの画像信号に対してタイムコードを設定して記録媒体に記録する。なお、記録媒体の再生時には、記録媒体に記録されている信号を読み出して表示フレームレートＦＲfの画像信号ＤＭoutを生成する。さらに、この画像信号ＤＭoutを画像表示装置６０に供給して、記録媒体に記録されている可変速フレームレート撮像画像を画像表示装置６０で表示する。
【００１７】
図２は、撮像装置１０の構成を示している。撮像部１１を構成する撮像素子（図示せず）の撮像面上には、撮像レンズ（図示せず）を通して入射された光に基づいた被写体画像が結像される。撮像素子は、光電変換によって被写体画像の撮像電荷を生成し、駆動部１２から供給された駆動制御信号ＲＤＣに基づいて撮像電荷を読み出して電圧信号に変換する。さらに、この電圧信号を撮像信号Ｓpaとして撮像信号処理部１３に供給する。
【００１８】
駆動部１２は、後述する撮像制御部１７から供給された制御信号ＣＴに基づいて駆動制御信号ＲＤＣを生成して撮像部１１に供給する。
【００１９】
撮像信号処理部１３は、撮像信号Ｓpaを増幅したのちノイズ成分を除去する。またノイズ除去された画像信号をディジタル信号に変換したのち、フィードバッククランプ処理やフレアー補正、撮像素子の欠陥に対する補正処理、プロセス処理等を行い、画像信号ＤＶaを生成する。この画像信号ＤＶaは、フレーム加算処理部１４に供給される。なお、撮像信号処理部１３で行う信号処理動作は、後述する撮像制御部１７から供給された制御信号ＣＴに基づいて設定される。
【００２０】
フレーム加算処理部１４は、画像信号ＤＶaに対してフレーム加算処理を行い、画像信号ＤＶaのフレームレートを可変する。このフレーム加算処理は、ＲＡＭ(Random Access Memory)を用いて行うことができる。例えば、３フレーム加算を行う場合、１フレーム目の画像信号ＤＶaをＲＡＭ-1に記憶させ、このＲＡＭ-1に記憶された信号を読み出して２フレーム目の画像信号ＤＶaと加算してＲＡＭ-2に記憶させる。このＲＡＭ-2に記憶されている加算信号を読み出して３フレーム目の画像信号ＤＶaと加算してＲＡＭ-3に記憶させる。このＲＡＭ-3に記憶された信号は、３フレーム分の画像信号ＤＶaを加算した信号となり、この信号を読み出して信号レベルを（１／３）倍すれば、所要の信号レベルであるとともに、フレームレートを（１／３）倍した信号となる。また、４フレーム目の画像信号ＤＶaをＲＡＭ-1に記憶させ、このＲＡＭ-1に記憶された信号を読み出して５フレーム目の画像信号ＤＶaと加算してＲＡＭ-2に記憶させる。このＲＡＭ-2に記憶されている加算信号を読み出して６フレーム目の画像信号ＤＶaと加算してＲＡＭ-3に記憶させる。このＲＡＭ-3に記憶された信号は、３フレーム分の画像信号ＤＶaを加算した信号となり、この信号を読み出して信号レベルを（１／３）倍すれば、所要の信号レベルであるとともに、フレームレートを（１／３）倍した信号となる。以下同様にして、３フレーム分の画像信号ＤＶaが加算された所要の信号レベルの画像信号ＤＶbを順次生成することができる。
【００２１】
また、３フレーム分の画像信号ＤＶaを加算した信号を、信号記録装置の記録フレームレートＦＲwで読み出して信号レベルを（１／３）倍すれば、画像信号ＤＶaのフレームレートを（１／３）倍したフレームレートで撮像画像のフレームが含まれている記録フレームレートＦＲwの画像信号ＤＶbを生成できる。この画像信号ＤＶbは、本線画出力部１５とモニタ画出力部１６に供給される。
【００２２】
なお、フレーム加算処理は、フレーム遅延回路を用いても行うことができる。例えば、１フレーム目の画像信号ＤＶaをフレーム遅延回路で２フレーム期間遅延させるとともに、２フレーム目の画像信号ＤＶaをフレーム遅延回路で１フレーム期間遅延させる。この遅延させた１フレーム目の画像信号と２フレーム目の画像信号ＤＶaを、３フレーム目の画像信号ＤＶaに加算して３フレーム分の画像信号ＤＶaが加算された信号を得る。この信号を上述のように、予め定められた記録フレームレートＦＲwで読み出したのち信号レベルを（１／３）倍すれば、所要の信号レベルであるとともに、画像信号ＤＶaのフレームレートを（１／３）倍したフレームレートで撮像画像のフレームが含まれた記録フレームレートＦＲwの画像信号ＤＶbを生成できる。
【００２３】
このようにフレーム加算処理を行うことで、例えば画像信号ＤＶaのフレームレートが「６０Ｐ（数字は１秒当たりのフレーム数、Ｐはプログレッシブ方式の信号であることを示すものであり、他の場合も同様である)」であるとき、加算フレーム数を２フレームとして例えば６０Ｐの出力フレームレートで読み出すものとすれば、「３０Ｐ」のフレームレートでの撮像画像が含まれた画像信号を得ることができる。また加算フレーム数を４フレームとすれば、「１５Ｐ」のフレームレートでの撮影画像が含まれた画像信号を得ることができる。
【００２４】
さらに、加算フレーム数の切り換えだけでなく、撮像素子からの信号読み出しを制御して撮像信号Ｓpaのフレームレートを可変すれば、記録フレームレートの画像信号に含まれる撮像画像のフレーム数を連続して可変することが可能となる。すなわち、撮像画像のフレームレートを連続的に可変しながら、このフレームレートで撮像画像のフレームが含まれた記録フレームレートＦＲwの画像信号ＤＶbを生成できる。
【００２５】
撮像信号Ｓpaのフレームレートを可変する場合は、駆動部１２から撮像部１１に供給する駆動制御信号ＲＤＣによって、撮像素子での電荷蓄積期間や撮像電荷の読み出しタイミング等を制御することでフレームレートが可変された撮像信号Ｓpaを得ることができる。さらに、ＣＤＲ方式(Common Data Rate:共通サンプリング周波数方式)を用いるものとして、水平帰線期間あるいは垂直帰線期間の長さを調整して、撮像フレームレートＦＲpの可変処理を行うものとすれば、撮像フレームレートＦＲpを可変しても有効画面期間の画像サイズが変化しない撮像信号Ｓpaを生成できる。また、ＣＤＲ方式を用いることで、撮像フレームレートＦＲpを用いる各部の動作周波数を撮像フレームレートＦＲpに応じて可変する必要がなく、構成が簡単となる
本線画出力部１５は、フレーム加算処理部１４から供給された画像信号ＤＶbと、撮像制御部１７から供給された識別信号ＤＪを用いて、所定フォーマットの本線画信号ＣＭＳを生成して信号記録装置３０に供給する。
【００２６】
モニタ画出力部１６は、フレーム加算処理部１４から供給された画像信号ＤＶbのフレームレートを電子ビューファインダー５０に対応したフレームレートに変換して、ビューファインダー信号ＶＦoutとして出力する。
【００２７】
撮像制御部１７には、ユーザインタフェース部１８が接続されている。このユーザインタフェース部１８を介して、ユーザ操作等に応じた操作信号ＰＳcが供給されると、撮像制御部１７は、この操作信号ＰＳcに基づいて制御信号ＣＴ等を生成して各部の動作を制御することにより、撮像装置をユーザの操作に応じて動作させる。また、撮像画像のフレームレートを設定するフレームレート設定信号ＲＳＦがユーザインタフェース部１８を介して、撮像制御部１７に供給されたとき、撮像制御部１７は、フレームレート設定信号ＲＳＦに基づいて、撮像部１１で生成する撮像信号Ｓpaのフレームレートやフレーム加算処理部１４の加算フレーム数を制御信号ＣＴによって制御する。例えば操作部で撮像速度の切り換えを行い、操作信号ＰＳcとしてフレームレート設定信号ＲＳＦが撮像制御部１７に供給されたとき、あるいはリモートコントロール装置や外部の機器からフレームレート設定信号ＲＳＦが撮像制御部１７に供給されたとき、撮像部１１で生成する撮像信号Ｓpaのフレームレートやフレーム加算処理部１４の加算フレーム数を制御する。さらに、撮像制御部１７では、画像信号ＤＶbに対して、可変速フレームレートの撮像画像のフレームを示す識別信号ＤＪを生成して本線画出力部１５に供給する。
【００２８】
ここで、撮像装置１０の動作について説明する。フレームレート設定信号ＲＳＦで設定される撮像画像のフレームレート（可変速フレームレートＦＲc）は、上述したように撮像部１１で生成される撮像信号Ｓpaのフレームレート（撮像フレームレートＦＲp）とフレーム加算処理部１４での加算フレーム数ＦＡを切り替えることで連続して可変できる。例えば図３に示すように、フレームレート設定信号ＲＳＦによって可変速フレームレートＦＲcが「６０Ｐ≧ＦＲc＞３０Ｐ」の範囲内に設定されたときは、加算フレーム数ＦＡを「１」として、撮像フレームレートＦＲpを可変速フレームレートＦＲcと等しくする。可変速フレームレートＦＲcが「３０Ｐ≧ＦＲc＞２０Ｐ」の範囲内に設定されたときは、加算フレーム数ＦＡを「２」として、撮像フレームレートＦＲpを可変速フレームレートＦＲcの２倍とする。可変速フレームレートＦＲcが「２０Ｐ≧ＦＲc＞１５Ｐ」の範囲内に設定されたときは、加算フレーム数ＦＡを「３」として、撮像フレームレートＦＲpを可変速フレームレートＦＲcの３倍とする。以下同様にして、撮像フレームレートＦＲpと加算フレーム数ＦＡを切り替える。
【００２９】
図４は画像信号ＤＶbの生成動作を説明するための図である。例えば可変速フレームレートＦＲcを「１８Ｐ」とする場合、撮像フレームレートは「５４Ｐ」、加算フレーム数は「３」となる。なお、図４Ａは画像信号ＤＶaのフレーム、図４Ｂはフレーム加算処理部１４を構成するＲＡＭ-1の動作、図４ＣはＲＡＭ-2の動作、図４ＤはＲＡＭ-3の動作、図４Ｅは画像信号ＤＶbのフレームを示している。なお、画像信号ＤＶbは、信号記録装置３０によって記録可能な信号のフレームレートである記録フレームレートとされており、図４では例えば「６０Ｐ」とする。
【００３０】
画像信号ＤＶaのフレーム「０f」が開始する時点ｔ1において、フレーム加算処理部１４は、例えばＲＡＭ-1を書き込みＲＡＭに設定して、書き込みＲＡＭにフレーム「０f」の画像信号ＤＶaを記憶させる。
【００３１】
時点ｔ2で画像信号ＤＶbのフレーム開始タイミングとなったとき、３フレームの画像信号の加算が完了していないことから、画像信号ＤＶbはブランクフレームとする。
【００３２】
画像信号ＤＶaのフレーム「０f」が終了してフレーム「１f」が開始するタイミングである時点ｔ3では、フレーム「０f」の画像信号が記憶されたＲＡＭ-1を内部読み出しＲＡＭとして指定するとともに、書き込みＲＡＭをＲＡＭ-1から例えばＲＡＭ-2に変更する。さらに、内部読み出しＲＡＭに記録されている信号、すなわちＲＡＭ-1に記憶されているフレーム「０f」の信号を読み出して、この信号にフレーム「１f」の画像信号ＤＶaを加算器で加算して書き込みＲＡＭであるＲＡＭ-2に記憶させる。
【００３３】
画像信号ＤＶaのフレーム「１f」が終了してフレーム「２f」が開始するタイミングである時点ｔ4となると、３フレームの加算信号を生成するために、フレーム「０ｆ」とフレーム「１ｆ」を加算した信号が書き込まれているＲＡＭ-2を内部読み出しＲＡＭに指定する。また、書き込みＲＡＭをＲＡＭ-2から例えばＲＡＭ-3に変更する。さらに、内部読み出しＲＡＭに記録されている信号、すなわちＲＡＭ-2に記憶されている信号を読み出して、この信号にフレーム「２f」の画像信号ＤＶaを加算器で加算して書き込みＲＡＭであるＲＡＭ-3に記憶させる。
【００３４】
画像信号ＤＶaのフレーム「２f」が終了してフレーム「３f」が開始するタイミングである時点ｔ5となると、３フレーム分の画像信号ＤＶaを加算した３フレーム加算信号の生成が完了したことから、この３フレーム加算信号が記憶されているＲＡＭ-3を外部読み出しＲＡＭに指定する。また、ＲＡＭ-1を書き込みＲＡＭに設定して、書き込みＲＡＭにフレーム「３f」の画像信号ＤＶaを記憶させる。
【００３５】
３フレーム加算信号の生成後、画像信号ＤＶbのフレーム開始タイミングとなった場合、例えば時点ｔ6で画像信号ＤＶbのフレーム開始タイミングとなった場合、３フレーム加算信号を外部読み出しＲＡＭから読み出して、この読み出した信号の信号レベルを（１／３）倍して画像信号ＤＶbとして出力させる。また、外部読み出しＲＡＭから３フレーム加算信号の読み出しを行って生成した画像信号ＤＶbのフレームを、図４Ｆに示す識別信号ＤＪによって可変速フレームレートの撮像画像のフレームとする。なお、ＲＡＭに対して３フレーム加算信号の書き込みが完了していないとき、あるいは３フレーム加算信号の読み出しが完了しても次の３フレーム加算信号の読み出しを行うことができないとき、新たな撮像画像のフレームを生成できない。この場合、可変速フレームレートの撮像画像のフレームを繰り返すことで、画像信号ＤＶbに撮像画像の画像信号がないフレーム（ブランクフレーム）が設けられてしまうことがない。また、このフレームは可変速フレームレートの撮像画像のフレームを繰り返したものであるから、識別信号ＤＪによって無効フレームとする。なお、ブランクフレームが設けられるときには、このブランクフレームも無効フレームとする。このように識別信号ＤＪを生成することで、可変速フレームレートの撮像画像のフレームを識別信号ＤＪによって判別できる。すなわち、識別信号ＤＪによって有効フレームとされたフレームの画像信号を選択すれば、可変速フレームレートの撮像画像の画像信号を選択できる。
【００３６】
以下同様に、ＲＡＭ-1〜ＲＡＭ-3と加算器等を使用して画像信号ＤＶaを３フレーム加算して３フレーム加算信号を生成し、この３フレーム加算信号を画像信号ＤＶbのフレーム開始タイミングで読み出すことにより、撮影画像のフレームが可変速フレームレートＦＲcで含まれた記録フレームレートの画像信号ＤＶbを得ることができる。すなわち、図４Ｅに示すように、信号記録装置に対応した記録フレームレート「６０Ｐ」であり、所望の可変速フレームレート「１８Ｐ」で可変速フレームレートの撮像画像のフレームが含まれた画像信号ＤＶbを生成することができる。また、可変速フレームレートの撮像画像のフレームを示す識別信号ＤＪが上述のように撮像制御部１７で生成されて本線画出力部１５に供給される。
【００３７】
次に、信号記録装置３０の構成を図５に示す。なお、図５では、撮影画像を記録媒体に効率良く記録できるように、画像信号を符号化して記録する場合を示している。また、図５では、記録媒体に記録された信号の再生動作を説明するため、再生時に用いる復調部と画像伸長部も合わせて図示している。
【００３８】
撮像装置１０から出力された本線画信号ＣＭＳは、信号記録装置３０の入力処理部３１に供給される。入力処理部３１は、本線画信号ＣＭＳから画像信号ＤＶbと識別信号ＤＪを分離して、画像信号ＤＶbを記録処理部３２の画像圧縮部３２１に供給する。また識別信号ＤＪを制御部４０に供給する。
【００３９】
画像圧縮部３２１は、画像信号ＤＶbの信号量を削減する圧縮処理を行い、符号化信号ＤＱaを生成する。この生成された符号化信号ＤＱaは記憶処理部３２２に供給される。なお、記録処理部３２では、後述するように有効とされたフレームの信号を選択することから、圧縮処理として例えばフレーム内予測符号化を実施する。
【００４０】
記憶処理部３２２は、制御部４０からの制御信号ＣＵに基づき、符号化信号ＤＱaから可変速フレームレートの撮像画像の符号化信号ＤＱwを、識別信号ＤＪによってフレーム単位で選択して記憶する。また、記憶している符号化信号ＤＱwを読み出して変調部３２３に供給する。
【００４１】
図６は、記憶処理部３２２構成を示す図である。データ変換処理回路３２２ａには、符号化信号ＤＱwを記憶する画像メモリ３２２ｂが接続されている。また、画像メモリ３２２ｂには、信号の書き込みや読み出しを制御する書込読出回路３２２ｃが接続されている。
【００４２】
データ変換処理回路３２２ａは、符号化信号ＤＱwを画像メモリ３２２ｂに対応したフォーマットの信号ＭＥwに変換して画像メモリ３２２ｂに供給する。ここで、圧縮処理を行うことにより得られた符号化信号ＤＱwは、画像の内容によって信号量が異なる。このため、信号ＭＥwの信号量がフレーム毎に異なってしまい、この信号ＭＥwを画像メモリ３２２ｂに順次書き込むと、信号の読み出しをフレーム単位で簡単に行うことができない。このため、画像メモリ３２２ｂからフレーム単位で信号を簡単に読み出すことができるように、データ変換処理回路３２２ａは信号ＭＥwの信号量をフレーム毎に等しくする。すなわち、画像圧縮部３２１は、符号化信号ＤＱaのフレーム毎の信号量が予め設定された信号量を超えないように圧縮処理を行う。また、データ変換処理回路３２２ａは、予め設定された信号量の符号化信号ＤＱwに基づいて信号ＭＥwを生成した場合よりも信号ＭＥwの信号量が少ないときには、例えば無効信号を加えて一定の信号量の信号ＭＥwとして、画像メモリ３２２ｂに書き込む。
【００４３】
また、データ変換処理回路３２２ａは、画像メモリ３２２ｂから読み出した信号ＭＥrから無効信号を除き、さらに元のフォーマットの符号化信号ＤＱwに戻して、図５に示す変調部３２３に供給する。
【００４４】
書込読出回路３２２ｃは、制御部４０から供給された制御信号ＣＵに基づき、書込制御信号ＷＣvと読出制御信号ＲＣvを生成する。この書込制御信号ＷＣvと読出制御信号ＲＣvを画像メモリ３２２ｂに供給して、識別信号ＤＪに基づいて選択された可変速フレームレートの撮像画像の信号ＭＥwを画像メモリ３２２ｂに書き込む。また、画像メモリ３２２ｂに記憶されている信号量、すなわち画像メモリ３２２ｂに書き込まれているが読み出しが行われていない信号の信号量が所定量に達したときには、書き込まれている信号を書き込み順に読み出して、信号ＭＥrとしてデータ変換処理回路３２２ａに供給する。
【００４５】
また、書込読出回路３２２ｃは、画像メモリ３２２ｂに記憶されている信号量を示す情報として、例えば画像メモリ３２２ｂに対する信号の書き込み位置と読み出し位置の位相差を示す位相差情報ＡＰを制御部４０に供給する。この位相差は、書き込み位置と読み出し位置とのアドレス距離あるいは書き込み位置と読み出し位置間のフレーム画像数を示すものである。
【００４６】
図５の変調部３２３では、符号化信号ＤＱwに誤り訂正符号を付加して記録媒体に応じたチャンネルコーディングを行い、所定の記録フォーマットの記録信号Ｓwを生成してヘッド部３２４に供給する。
【００４７】
タイムコード処理部３３は、制御部４０からのタイムコード生成制御信号ＴＣＴに基づいてタイムコードＴＣwを生成してヘッド部３２４に供給する。また、画像信号ＤＶbには、ブランクフレームや前のフレームの画像信号ＤＶbを繰り返し用いたフレームが設けられる場合があることから、タイムコード生成制御信号ＴＣＴに基づき、識別信号ＤＪによって示された可変速フレームレートの撮像画像のフレームに対してタイムコードＴＣwを歩進させながら生成する。また、タイムコード処理部３３に外部からタイムコードＴＣwの初期値ＴＣsetが供給されたときは、この初期値ＴＣsetから歩進させる。
【００４８】
タイムコード処理部３３で生成するタイムコードＴＣwは、ＳＭＰＴＥ（米国映画テレビ技術者協会）によって規格化されている２４フレームシステムのタイムコードや２５フレームシステムのタイムコード、３０フレームシステムのタイムコード等を用いることができる。この２４フレームシステムは、フィルム用のシステムであり、２４フレーム／ｓｅｃに対応している。２５フレームシステムは、６２５／５０テレビジョン用のシステムであり、２５Ｐ（プログレッシブ方式の２５フレーム／ｓｅｃ）及び５０ｉ（インターレース方式の５０フィールド／ｓｅｃ）に対応している。３０フレームシステムは、１１２５／６０ＨＤＴＶやＮＴＳＣ用のシステムであり、３０Ｐ（プログレッシブ方式の３０フレーム／ｓｅｃ），２９．９７Ｐ（プログレッシブ方式の２９．９７フレーム／ｓｅｃ），６０ｉ（インターレース方式の６０フィールド／ｓｅｃ）及び５９．９４ｉ（インターレース方式の５９．９４フィールド／ｓｅｃ）に対応している。また、タイムコードとしては、ＬＴＣ(Longitudinal Time Code)やＶＩＴＣ(Vertical Interval Time Code)を用いる。なお、図７はＬＴＣとＶＩＴＣのビット割当てを示している。このタイムコード処理部３３で生成されたタイムコードＴＣwは、ヘッド部３２４に供給される。
【００４９】
ヘッド部３２４は、例えば磁気テープや磁気ディスクあるいは光ディスク等の記録媒体４５に記録信号ＳwとタイムコードＴＣwを記録する。ここで、タイムコードＴＣwは、従来のビデオテープレコーダのように、記録信号Ｓwに付加して傾斜トラックに記録したり、記録信号Ｓwの記録位置に応じた長手トラック上に記録する。また、磁気ディスクあるいは光ディスク等のランダムアクセス可能な記録媒体に記録するときには、記録信号ＳwにタイムコードＴＣwを付加して記録したり、記録信号ＳwとタイムコードＴＣwを別個の領域に記録する。ここで、記録信号ＳwとタイムコードＴＣwを別個の領域に記録するときは、記録信号Ｓwの記録位置に基づいてタイムコードＴＣwを読み出すことができるように記録する。例えば、記録信号Ｓwの記録位置を示す位置情報をタイムコードＴＣwとともに記録したり、記録信号Ｓwの記録開始位置を示す位置情報を最初のタイムコードＴＣwに付加して記録する。また、図５は、記録信号ＳwとタイムコードＴＣwを記録媒体に記録する場合を示しているが、撮像画像の信号を読み出す際に、関連付けされたタイムコードを正しく読み出すことができれば、記録媒体にタイムコードＴＣwを記録しなくとも良い。例えば、記録媒体４５の識別情報と記録信号Ｓwの記録位置とタイムコードＴＣwを関連付けてメモリ等に記憶させておき、再生時に使用する記録媒体４５と識別情報が一致する情報から、信号の読み出し位置に対応したタイムコードを読み出す。あるいは、再生時に使用する記録媒体４５と識別情報が一致する情報から、所望のタイムコードと対応する記録位置を読み出して、この位置から信号の読み出しを行う。このように処理することで、記録媒体にタイムコードＴＣwを記録しなくとも、記録媒体４５に記録されている撮像画像を再生したとき、正しいタイムコードを得ることができる。
【００５０】
記録媒体４５をヘッド部３２４で再生して得られた再生信号Ｓrは、復調部３４に供給される。復調部３４は、再生信号Ｓrの復号処理や誤り訂正処理を行い、得られた符号化信号ＤＱrを画像伸長部３５に供給する。画像伸長部３５は、符号化信号ＤＱrの伸長処理を行い画像信号ＤＭoutを生成し、この画像信号ＤＭoutを画像表示装置６０に供給する。また、ヘッド部３２４で読み出されたタイムコードＴＣrは、タイムコード処理部３３に供給される。
【００５１】
タイムコード処理部３３は、画像信号ＤＭoutに同期してタイムコードＴＣrを出力する。また、タイムコード処理部３３から、可変速フレームレート撮像画像の記録中に生成したタイムコードＴＣwを外部機器に出力するものとしても良い。このように、可変速フレームレート撮像画像の記録中に生成したタイムコードＴＣwを出力すれば、どのくらいのフレーム数の可変速フレームレート撮像画像を記録したか外部機器で容易に判別できる。
【００５２】
制御部４０には、ユーザインタフェース部４１が接続されており、ユーザ操作に応じた信号あるいはリモートコントロール装置や外部の機器等からの信号がユーザインタフェース部４１から操作信号ＰＳvとして制御部４０に供給される。制御部４０は、操作信号ＰＳvに基づいて制御信号ＣＵ等を生成して各部の動作を制御することにより、信号記録装置をユーザ操作やリモートコントロール装置あるいは外部機器等からの信号に応じて動作させる。
【００５３】
また、制御部４０は、信号記録装置３０の動作モードが可変速フレームレートの撮像画像を記録するモード（可変速撮像画記録モード）とされている場合、記憶処理部３２２から供給された位相差情報ＡＰに基づき、位相差が記録開始レベルに達したとき、記録媒体駆動部３６に駆動信号ＲＭを供給して、記録媒体駆動部３６によって記録媒体４５を駆動する。また、制御信号ＣＵによって記憶処理部３２２の動作を制御して、画像メモリ３２２ｂに記憶している信号を書き込み順に読み出して信号ＭＥrとして変調部３２３に供給させる。また、タイムコード生成制御信号ＴＣＴをタイムコード処理部３３に供給して、読み出した信号ＭＥrに対してフレーム毎にタイムコードＴＣwを歩進して生成させる。位相差情報ＡＰに基づき位相差が記録停止レベルまで低下したときには、画像メモリ３２２ｂからの信号の読み出しとタイムコード処理部３３でのタイムコードＴＣwの生成を停止するとともに、記録媒体４５への信号の記録を停止する。その後、画像メモリ３２２ｂに記憶されている信号の信号量が記録開始レベルに達したときには、再度記録媒体４５への記録信号やタイムコードの記録を開始する。以下同様にして、可変速撮像画記録モードでは、画像メモリ３２２ｂに記憶されている信号量に応じて、記録媒体４５への画像の記録を間欠的に行う。
【００５４】
操作信号ＰＳvに基づき信号記録装置３０の動作モードが可変速撮像画記録モードから停止モードに切り替えられたとき、制御部４０は、記憶処理部３２２における信号の書き込み動作を停止させるとともに、記憶処理部３２２の画像メモリ３２２ｂに記憶されている信号の読み出しを行い、画像メモリ３２２ｂに記憶されている信号をタイムコードとともに記録媒体４５に記録してから記録動作を終了する。
【００５５】
このようにして、例えば、記録フレームレートＦＲwが「６０Ｐ」とされた画像信号ＤＶbから可変速フレームレートの撮像画像のフレームを選択して、選択した画像信号の記録を行い、この記録された画像信号を「２４Ｐ」で再生すると、可変速フレームレートＦＲcを「２４Ｐ」として撮像したときには、再生画像に於ける被写体の動きの速さが実際の被写体と等しくなる。また、可変速フレームレートＦＲcを「２４Ｐ」よりも高く設定して撮像を行い「２４Ｐ」で再生すると、再生画像に於ける被写体の動きの速さは低速となり、可変速フレームレートＦＲcを「２４Ｐ」よりも低く設定して撮像を行い「２４Ｐ」で再生すると、再生画像に於ける被写体の動きの速さは高速となり、画像表示装置６０の画面上には、フレームレート設定信号ＲＳＦに応じて被写体の動きの速さを可変した画像を表示できる。また、電子ビューファインダー５０には、撮像装置１０で撮像中の画像が表示される。
【００５６】
次に、信号記録動作について図８のフローチャートを用いて説明する。ステップＳＴ１で可変速撮像画記録モードが選択されたか否かを判別する。ここでユーザインタフェース部４１からの操作信号ＰＳvによって可変速撮像画記録モードが選択されていないときにはステップＳＴ２に進み、通常記録動作すなわち撮像装置１０から供給された画像信号ＤＶbの各フレームを順次記録媒体４５に記録する。また、可変速撮像画記録モードが選択されているときにはステップＳＴ３に進む。
【００５７】
ステップＳＴ３では、ユーザインタフェース部４１からの操作信号ＰＳvによって記録開始操作が行われたか否かを判別する。ここで、記録開始操作が行われていないときにはステップＳＴ３に戻り、記録開始操作が行われたときにはステップＳＴ４に進む。
【００５８】
ステップＳＴ４では、記録動作を開始する。すなわち、識別信号ＤＪによって示された可変速フレームレートの撮像画像の画像信号を記憶処理部３２２の画像メモリ３２２ｂに順次記憶させてステップＳＴ５に進む。例えば、図４Ｅに示す「６０Ｐ」のフレームレートの画像信号ＤＶbから、図４Ｆに示す識別信号ＤＪによって示された有効フレームの画像信号を選択して記憶処理部３２２の画像メモリ３２２ｂに記憶させる。
【００５９】
ステップＳＴ５では、操作信号ＰＳvによって記録終了操作が行われたか否かを判別する。ここで、記録終了操作が行われていないときにはステップＳＴ６に進み、記録終了操作が行われたときにはステップＳＴ１０に進む。
【００６０】
ステップＳＴ６では、画像メモリ３２２ｂに対する信号の書き込み位置と読み出し位置との位相差が、記録動作開始レベル「Ｌws(フレーム)」まで増加したか否かを判別する。ここで、位相差が記録動作開始レベル「Ｌws」まで増加していないときにはステップＳＴ５に戻る。また、位相差が記録動作開始レベル「Ｌws」まで増加したときにはステップＳＴ７に進む。
【００６１】
ステップＳＴ７では、記録媒体４５に対して画像信号やタイムコードの記録動作を開始する。例えば、記録媒体４５を駆動して、記録信号ＳwとタイムコードＴＣwを記録媒体４５に記録可能となったとき、画像メモリ３２２ｂに記憶されている信号を順次読み出して記録信号Ｓwを生成し、この記録信号Ｓwとタイムコード処理部３３で生成したフレーム毎に歩進されているタイムコードＴＣwとをヘッド部３２４に供給して記録媒体４５に記録する。また、外部からタイムコードの初期値が供給されているときには、画像メモリ３２２ｂから読み出される信号ＭＥrの最初のフレームにタイムコードＴＣwの初期値を設定して、その後、信号ＭＥrのフレーム毎にタイムコードＴＣwを歩進させて記録媒体４５に記録する。このように、識別信号ＤＪによって示された可変速フレームレートの撮像画像のフレームに対してタイムコードＴＣwを歩進させて関連付けることにより、本線画信号ＣＭＳに無効なフレームが含まれていても、可変速フレームレートの撮像画像のフレームに対してのみタイムコードを設定できる。
【００６２】
さらに、記録するタイムコードＴＣwは、１つのフレームシステムのタイムコードに限られるものではなく、複数システムのタイムコードを記録しても良い。例えば、２４フレームシステムのタイムコードや２５フレームシステムのタイムコード、３０フレームシステムのタイムコード等のいずれか１つのフレームシステムのタイムコードを記録したり、複数のフレームシステムのタイムコードを記録する。ここで、複数システムのタイムコードを記録すれば、異なるフレームシステムの再生装置で記録媒体４５をしても、タイムコードを付け替えることなく正しいタイムコードを読み出すことができる。
【００６３】
ステップＳＴ８では、書き込み位置と読み出し位置との位相差が記録停止レベル「Ｌwe(フレーム)」まで低下したか否かを判別する。ここで、位相差が記録停止レベル「Ｌwe」まで低下していないときにはステップＳＴ８に戻る。また、位相差が記録停止レベル「Ｌwe」まで低下したときにはステップＳＴ９に進む。
【００６４】
ステップＳＴ９では、記録媒体への画像信号やタイムコードの記録を停止する。例えば、画像メモリ３２２ｂに記憶されている信号の読み出しを中止して記録信号Ｓwの生成を停止する。また、磁気テープのようにランダムアクセスを行うことができない記録媒体を用いているときには、記録媒体４５の駆動を停止してからステップＳＴ５に戻る。
【００６５】
その後、記録終了操作が行われて、ステップＳＴ５からステップＳＴ１０に進むと、ステップＳＴ１０では、記憶処理部３２２で行われていた画像メモリ３２２ｂに対する信号の書き込みを終了してステップＳＴ１１に進む。
【００６６】
ステップＳＴ１１では、画像メモリ３２２ｂから読み出されていない信号を記録媒体４５に記録する処理を行い、この読み出されていない信号をタイムコードとともに記録媒体４５に全て記録させてからステップＳＴ１２に進む。ステップＳＴ１２では、記録動作を終了させる。すなわち、記憶処理部３２２での信号読み出し動作を終了するとともに、記録媒体４５の駆動を終了させて、可変速記録モードでの記録動作を終了させる。
【００６７】
図９は信号記録動作を示している。なお、図９において、図９Ａは画像信号ＤＶb、図９Ｂは記憶処理部３２２の画像メモリ３２２ｂに書き込まれる信号ＭＥw、図９Ｃは画像メモリ３２２ｂから読み出される信号ＭＥr、図９Ｄは記録媒体４５に記録された信号を示している。
【００６８】
撮像画像のフレームレートである可変速フレームレートＦＲcが例えば４０Ｐとされているとき、画像信号ＤＶbでは、６０Ｐの記録フレームレートの中に可変速フレームレートの撮像画像のフレームが４０Ｐだけ含まれた信号となる。
【００６９】
時点ｔ11で信号記録動作を開始すると、記憶処理部３２２の画像メモリ３２２ｂには、画像信号ＤＶbから可変速フレームレートの撮像画像の信号が選択されて記憶される。このため、例えば１．５秒の撮像時間分の撮影画像が記録フレームレートの１秒間の画像として、画像メモリ３２２ｂに記憶されることとなる。
【００７０】
その後、可変速フレームレートの撮像画像の画像信号を選択して画像メモリ３２２ｂに記憶させて、位相差が時点ｔ12で記録動作開始レベル「Ｌws」に達したときは、図９Ｃに示すように、記憶されている信号を６０Ｐのフレームレートで読み出すとともに、記録媒体４５の駆動を開始して、信号の記録が可能となった時点ｔ13で、読み出した信号とタイムコードを順次記録媒体に記録する。
【００７１】
その後、位相差が時点ｔ14で記録動作停止レベル「Ｌwe」に達したときは、記憶されている信号の読み出しを停止する。また、読み出されている信号とタイムコードの記録が終了する時点ｔ15で記録動作を終了する。
【００７２】
ここで、時点ｔ13から時点ｔ15までの期間中に６８０フレーム分（１７秒の撮像時間に相当）の有効なフレームが記録媒体４５に記録されたとき、最初のフレームのタイムコードＴＣwを「００(時)：００(分)：００(秒)：００(フレーム)」とした場合、２４フレームシステムでは、記録された信号のフレームに対して「００：００：００：００」〜「００：００：２８：０７」までタイムコードＴＣwが歩進して関連付けられる。また、３０フレームシステムでは、記録された信号のフレームに対して「００：００：００：００」〜「００：００：２２：１９」までタイムコードＴＣwが歩進して関連付けられる。
【００７３】
その後、位相差が時点ｔ16で記録動作停止レベル「Ｌwe」に達したときは、画像メモリ３２２ｂに記憶されている信号を６０Ｐのフレームレートで読み出すとともに、記録媒体４５の駆動を開始して、信号の記録が可能となった時点ｔ17で、読み出された信号とタイムコードを順次記録媒体４５に記録する。このとき、記録媒体に記録される信号に対して、２４フレームシステムでは、「００：００：００：２８」からタイムコードＴＣwが歩進して関連付けられる。また、３０フレームシステムでは、「００：００：２２：２０」からタイムコードＴＣwが歩進して関連付けられる。
【００７４】
このようにして記録された信号をフィルム用システムである２４Ｐのフレームレートで再生した場合、２４フレームシステムのタイムコードを読み出すことで、正しいタイムコードを得ることができる。このとき、４０Ｐの可変速フレームレートで撮像を行った画像は、動きの速さが（２４／４０）倍とされてスロー再生画像となる。また、上述のように１８Ｐの可変速フレームレートで撮像を行った画像は、動きの速さが（２４／１８）倍とされて高速再生画像となる。
【００７５】
また、記録された信号をテレビジョン用システムである３０Ｐのフレームレートで再生した場合、３０フレームシステムのタイムコードを読み出すことで、正しいタイムコードを得ることができる。このとき、４０Ｐの可変速フレームレートで撮像を行った画像は、動きの速さが（３０／４０）倍とされてスロー再生画像となる。また、１８Ｐの可変速フレームレートで撮像を行った画像は、動きの速さが（３０／１８）倍とされて高速再生画像となる。
【００７６】
このように、フレームレートを可変させて撮像を行って得られた画像信号から、識別信号ＤＪで可変速フレームレートの撮像画像とされたフレームの信号を選択して記録媒体４５に記録フレームレートで記録するとともに、この記録されたフレームに対してタイムコードを歩進して関連付ければ、この記録媒体４５を所望のフレームレートで再生したときに、正しいタイムコードを得ることができる。
【００７７】
なお、上述の実施の形態では画像信号ＤＶbを符号化して記録媒体４５に記録する場合を示したが、画像信号ＤＶbを符号化することなく記録媒体４５に記録するとき、画像圧縮部や画像伸長部を設ける必要がないことは勿論である。
【産業上の利用可能性】
【００７８】
以上のように、本発明にかかる信号記録装置は、可変速フレームレートの撮像画像を記録するときに有用であり、記録された可変速フレームレートの撮像画像のフレームに正しくタイムコードを設定できることから、この記録された可変速フレームレート撮像画像の編集等を行う場合に適用している。
【図面の簡単な説明】
【００７９】
【図１】撮像画像記録システムの構成を示す図である。
【図２】撮像装置の構成を示す図である。
【図３】可変速フレームレートに対する加算フレーム数と撮像フレームレートの関係を示す図である。
【図４】画像信号ＤＶbの生成動作を示す図である。
【図５】信号記録装置の構成を示す図である。
【図６】記憶処理部の構成を示す図である。
【図７】ＬＴＣとＶＩＴＣのビット割当てを示す図である。
【図８】信号記録動作を示すフローチャートである。
【図９】信号記録動作を説明するための図である。
【符号の説明】
【００８０】
１０・・・撮像装置、１１・・・撮像部、１２・・・駆動部、１３・・・撮像信号処理部、１４・・・フレーム加算処理部、１５・・・本線画出力部、１６・・・モニタ画出力部、１７・・・撮像制御部、１８，４１・・・ユーザインタフェース部、３０・・・信号記録装置、３１・・・入力処理部、３２・・・記録処理部、３３・・・タイムコード処理部、３４・・・復調部、３５・・・画像伸長部、３６・・・記録媒体駆動部、４０・・・制御部、４５・・・記録媒体、５０・・・電子ビューファインダー、６０・・・画像表示装置、３２１・・・画像圧縮部、３２２・・・記憶処理部、３２３・・・変調部、３２４・・・ヘッド部
【図１】
2005039713.tif 000003
【図２】
2005039713.tif 000004
【図３】
2005039713.tif 000005
【図４】
2005039713.tif 000006
【図５】
2005039713.tif 000007
【図６】
2005039713.tif 000008
【図７】
2005039713.tif 000009
【図８】
2005039713.tif 000010
【図９】
2005039713.tif 000011